【手続補正書】
【提出日】平成19年5月30日(2007.5.30)
【手続補正１】
【補正対象書類名】特許請求の範囲
【補正対象項目名】全文
【補正方法】変更
【補正の内容】
【特許請求の範囲】
【請求項１】
背凭れに対して上下動可能に装着された枕の変位量に応じて前垂れの伸長量を所定の伸長量に調整することで、仰臥姿勢の患者の足長さと前垂れの長さとが一致するようにしたことを特徴とする歯科用椅子の自動前垂れ突出量調整装置。
【請求項２】
上下動可能な座部と、該座部に対して起伏可能に取付けられた背凭れと、該背凭れの上部に上下動自在に取付けられた枕と、前記座部に対して伏倒可能に取付けられた前垂れとから構成された歯科用椅子において、前記背凭れに対して枕を上下動した移動量を検出する枕高さ検出センサと、前記座部側に取付けられた傾動前垂れに対して伸縮可能に構成された伸縮前垂れの伸縮量を検出する前垂れ突出量検出センサと、前記枕を上下動して前記枕高さ検出センサが検出した変位量に応じて前記前垂れ突出量検出センサが所定の伸縮量の値を検出すると前記伸縮前垂れの伸縮を停止する制御手段とより構成し、前記制御手段により患者の身長にあった分だけ伸縮前垂れの伸縮量を調整することを特徴とする歯科用椅子の自動前垂れ突出量調整装置。
【請求項３】
上下動可能な座部と、該座部に対して起伏可能に取付けられた背凭れと、該背凭れの上部に上下動自在に取付けられた枕と、前記座部に対して伏倒可能に取付けられた前垂れとから構成された歯科用椅子において、前記背凭れに対して枕を上下動した移動量を検出する枕高さ検出センサと、前記座部側に取付けられた傾動前垂れに対して伸縮可能に構成された伸縮前垂れの伸縮量を検出する前垂れ突出量検出センサと、前記傾動前垂れの起伏量を検出する前垂れ角検出センサと、前記枕を上下動して前記枕高さ検出センサが検出した変位量に応じて前記前垂れ角検出センサが所定の伏倒量の値になるまで傾動前垂れを伏倒させ、かつ、傾動前垂れが所定の伏倒量となった値を前垂れ角検出センサが検出した後に、前記伸縮前垂れの伸縮を開始させ所定の伸縮量の値になるまで前記伸縮前垂れを伸縮させる制御手段とより構成し、前記制御手段により背凭れの伏倒に連動して伸縮前垂れの伸縮が行われることで、伸縮前垂れの下端と床面とが接触することがないようにしたことを特徴とする歯科用椅子の自動前垂れ突出量調整装置。
【請求項４】
上下動可能な座部と、該座部に対して起伏可能に取付けられた背凭れと、該背凭れの上部に上下動自在に取付けられた枕と、前記座部に対して伏倒可能に取付けられた前垂れとから構成された歯科用椅子において、前記背凭れに対して枕を上下動した移動量を検出する枕高さ検出センサと、前記背凭れの起伏量を検出する背凭れ角検出センサと、前記座部側に取付けられた傾動前垂れに対して伸縮可能に構成された伸縮前垂れの伸縮量を検出する前垂れ突出量検出センサと、前記傾動前垂れの起伏量を検出する前垂れ角検出センサと、前記枕を上下動して前記枕高さ検出センサが検出した変位量に応じて前記前垂れ角検出センサが所定の伏倒量の値になるまで傾動前垂れを伏倒させ、かつ、前記前垂れ突出量検出センサが所定の伸縮量の値になるまで前記伸縮前垂れを伸縮させ、また、前記背凭れが所定の伏倒量となった値を前記背凭れ角検出センサが検出した後に、前記伸縮前垂れを伸縮させる制御手段とより構成し、前記制御手段により背凭れの伏倒に連動して伸縮前垂れの伸縮が行われることで、伸縮前垂れの下端と床面とが接触することがないようにしたことを特徴とする歯科用椅子の自動前垂れ突出量調整装置。
【手続補正２】
【補正対象書類名】明細書
【補正対象項目名】０００７
【補正方法】変更
【補正の内容】
【０００７】
請求項２の手段は、上下動可能な座部と、該座部に対して起伏可能に取付けられた背凭れと、該背凭れの上部に上下動自在に取付けられた枕と、前記座部に対して伏倒可能に取付けられた前垂れとから構成された歯科用椅子において、前記背凭れに対して枕を上下動した移動量を検出する枕高さ検出センサと、前記座部側に取付けられた傾動前垂れに対して伸縮可能に構成された伸縮前垂れの伸縮量を検出する前垂れ突出量検出センサと、前記枕を上下動して前記枕高さ検出センサが検出した変位量に応じて前記前垂れ突出量検出センサが所定の伸縮量の値を検出すると前記伸縮前垂れの伸縮を停止する制御手段とより構成し、前記制御手段により患者の身長にあった分だけ伸縮前垂れの伸縮量を調整することを特徴とする。
【手続補正３】
【補正対象書類名】明細書
【補正対象項目名】０００８
【補正方法】変更
【補正の内容】
【０００８】
請求項３の手段は、上下動可能な座部と、該座部に対して起伏可能に取付けられた背凭れと、該背凭れの上部に上下動自在に取付けられた枕と、前記座部に対して伏倒可能に取付けられた前垂れとから構成された歯科用椅子において、前記背凭れに対して枕を上下動した移動量を検出する枕高さ検出センサと、前記座部側に取付けられた傾動前垂れに対して伸縮可能に構成された伸縮前垂れの伸縮量を検出する前垂れ突出量検出センサと、前記傾動前垂れの起伏量を検出する前垂れ角検出センサと、前記枕を上下動して前記枕高さ検出センサが検出した変位量に応じて前記前垂れ角検出センサが所定の伏倒量の値になるまで傾動前垂れを伏倒させ、かつ、傾動前垂れが所定の伏倒量となった値を前垂れ角検出センサが検出した後に、前記伸縮前垂れの伸縮を開始させ所定の伸縮量の値になるまで前記伸縮前垂れを伸縮させる制御手段とより構成し、前記制御手段により背凭れの伏倒に連動して伸縮前垂れの伸縮が行われることで、伸縮前垂れの下端と床面とが接触することがないようにしたことを特徴とする。
【手続補正４】
【補正対象書類名】明細書
【補正対象項目名】０００９
【補正方法】変更
【補正の内容】
【０００９】
請求項４の手段は、上下動可能な座部と、該座部に対して起伏可能に取付けられた背凭れと、該背凭れの上部に上下動自在に取付けられた枕と、前記座部に対して伏倒可能に取付けられた前垂れとから構成された歯科用椅子において、前記背凭れに対して枕を上下動した移動量を検出する枕高さ検出センサと、前記背凭れの起伏量を検出する背凭れ角検出センサと、前記座部側に取付けられた傾動前垂れに対して伸縮可能に構成された伸縮前垂れの伸縮量を検出する前垂れ突出量検出センサと、前記傾動前垂れの起伏量を検出する前垂れ角検出センサと、前記枕を上下動して前記枕高さ検出センサが検出した変位量に応じて前記前垂れ角検出センサが所定の伏倒量の値になるまで傾動前垂れを伏倒させ、かつ、前記前垂れ突出量検出センサが所定の伸縮量の値になるまで前記伸縮前垂れを伸縮させ、また、前記背凭れが所定の伏倒量となった値を前記背凭れ角検出センサが検出した後に、前記伸縮前垂れを伸縮させる制御手段とより構成し、前記制御手段により背凭れの伏倒に連動して伸縮前垂れの伸縮が行われることで、伸縮前垂れの下端と床面とが接触することがないようにしたことを特徴とする。
【手続補正５】
【補正対象書類名】明細書
【補正対象項目名】００３１
【補正方法】変更
【補正の内容】
【００３１】
このように構成した前垂れ４の収縮手段は、制御手段より伸縮前垂れ４２の伸長指令が椅子側に設けられている制御回路に入力されると、図示しないポンプを駆動して油を前垂れ用シリンダ２６に供給すると共に摺動用シリンダ４３内に供給して傾動前垂れ４１を伏倒させ、かつ、伸縮前垂れ４２を前方に突出させる。該伸縮前垂れ４２が突出すると、制御板４５も共に移動して、該制御板４５のテーパー面４５ａが回動板４６ａを回動させて前垂れ突出量検出センサ４６よりの変化量が制御手段に送出される。従って、制御手段はこの変化量を監視することで前垂れ４の突出量を把握できる。
【手続補正６】
【補正対象書類名】明細書
【補正対象項目名】００４９
【補正方法】変更
【補正の内容】
【００４９】
１          座部昇降機構
１２        昇降用シリンダ
１５        座部高さ検出センサ
２          座部
２１        座部用シリンダ
２４        背凭れ角検出センサ
２６        前垂れ用シリンダ
３          背凭れ
３１        枕
３２        第１シリンダ
３３        第２シリンダ
３８        枕高さ検出センサ
４          前垂れ
４１        傾動前垂れ
４２        伸縮前垂れ
４３        摺動用シリンダ
４６        前垂れ突出量検出センサ
４７        前垂れ角検出センサ
６          制御手段